(57)【要約】【課題】MMCmicroメモリー・カード，microSDメモリー・カード，及びMMCmicroメモリー・カードとmicroSDメモリー・カードを結合する新規なマイクロ・メモリー・カードのフォーマットに互換できるマルチプレックス・マイクロ・メモリー・カード・エンベッド・コネクターを提供する。【解決手段】このコネクター２００は、ケーシング２０５と、ケーシングの中に形成され一つのマイクロ・メモリー・カードを受信するように用いられるキャビティ２１０とを含む。キャビティは、その形状が一つの第１の設備接続標準に合致し第１の設備接続標準に準拠するマイクロ・メモリー・カードを受信するように用いられる一つの第１の端２１２と、第１の端と相対する一端に形成されその形状が一つの第２の設備接続標準に合致し第２の設備接続標準に準拠するマイクロ・メモリー・カードを受信するように用いられる一つの第２の端２１４とを含む。【選択図】図８
0003129616.tif 000002
【実用新案登録請求の範囲】
【請求項１】
一つのケーシングと、当該ケーシングの中に形成され一つのマイクロ・メモリー・カードを受信するように用いられる一つのキャビティとを含み、当該キャビティは、その形状が一つの第１の設備接続標準に合致し当該第１の設備接続標準に準拠するマイクロ・メモリー・カードを受信するように用いられる一つの第１の端と、キャビティの前記第１の端との相対する一端に形成されその形状が一つの第２の設備接続標準に合致し当該第２の設備接続標準に準拠するマイクロ・メモリー・カードを受信するように用いられる一つの第２の端とを含むことを特徴とするマルチプレックス・マイクロ・メモリー・カード・エンベッド・コネクター。
【請求項２】
前記第１の端は、第１の接触端子組を一つ含み、且つ前記第２の端は、第２の接触端子組を一つ含むことを特徴とする請求項１に記載のマルチプレックス・マイクロ・メモリー・カード・エンベッド・コネクター。
【請求項３】
前記第１の接触端子組は、１０個の接触端子を含み、且つ前記第２の接触端子組は、８個の接触端子を含むことを特徴とする請求項２に記載のマルチプレックス・マイクロ・メモリー・カード・エンベッド・コネクター。
【請求項４】
前記第１の設備接続標準は、MMCmicro標準で、且つ前記第２の設備接続標準は、microSD標準であることを特徴とする請求項１に記載のマルチプレックス・マイクロ・メモリー・カード・エンベッド・コネクター。
【考案の詳細な説明】
【技術分野】
【０００１】
本考案は、マルチプレックス・マイクロ・メモリー・カード・エンベッド・コネクターに関し、特に多種なタイプのマイクロ・メモリー・カードを受信するように用いられるマルチプレックス・マイクロ・メモリー・カード・エンベッド・コネクターを指す。
【背景技術】
【０００２】
個人の電子機器が小さくなるのに伴って小型のメモリー・カードの構造はますます複雑になるが、小型のメモリー・カードに対する需要はますます大きくなっている。既にマイクロ・フラッシュ・メモリー・カードが市場に参入し、脱着可能な（swappable）メモリー・カードを必要とする小型の電子機器に用いられている。
【０００３】
図１及び図２を参照すると、図1は従来技術のMMCmicroTMメモリー・カード１０の正面図である。図2は従来技術のmicroSDTMメモリー・カード２０の正面図である。MMCmicroTMメモリー・カード１０及びmicroSDTMメモリー・カード２０は何れもマイクロ・フラッシュ・メモリー・カードに属する。但し、MMCmicroメモリー・カード１０は、MMCmicroコネクターを通して読み取る必要があり、microSDコネクターを通して読み取ることができない。microSDメモリー・カード２０も同様の問題が存在し、MMCmicroコネクターによって識別できない。
【０００４】
従って、MMCmicroメモリー・カード１０の大きさは、microSDメモリー・カード２０に類似するが、両者の間における非互換性がユーザーに沢山の問題を及ぼし、ユーザーは、メモリー・カードとコネクターとの相互マッチング性を確保する必要がある。
【考案の開示】
【考案が解決しようとする課題】
【０００５】
本考案の目的は、MMCmicroメモリー・カード，microSDメモリー・カード，及びMMCmicroメモリー・カードとmicroSDメモリー・カードを結合する新規なマイクロ・メモリー・カードのフォーマットに互換できるマルチプレックス・マイクロ・メモリー・カード・エンベッド・コネクターを提供するもので、これにより前記の問題を解決する。
【課題を解決するための手段】
【０００６】
本考案は、マルチプレックス・マイクロ・メモリー・カード・エンベッド・コネクターを掲示する。本考案のマルチプレックス・マイクロ・メモリー・カード・エンベッド・コネクターは、一つのケーシングと、ケーシングの内部に形成されマイクロ・メモリー・カードを受信する（受け入れる）ように用いられる一つのキャビティとを含む。当該キャビティは、その形状が第１の設備接続標準（換言すれば、第１の機器接続標準）に合致し当該第１の設備接続標準に準拠する（互換性のある）マイクロ・メモリー・カードを受信する（受け入れる）ように用いられる一つの第１の端と、当該キャビティの前記第１の端との相対する一端に形成されその形状が第２の設備接続標準（第２の機器接続標準）に合致し当該第２の設備接続標準に準拠する（互換性のある）マイクロ・メモリー・カードを受信する（受け入れる）ように用いられる一つの第２の端とを含む。
【０００７】
以下、本考案の特徴および技術内容をより理解するために、添付の図面を参照しながら本考案に関する詳細な説明を行うが、添付の図面は参考用と説明用にだけ供されるものであって、本考案をより限定するように用いられるものではない。
【考案を実施するための最良の形態】
【０００８】
図３はマルチプレックス・マイクロ・メモリー・カード１００の正面図である。マルチプレックス・マイクロ・メモリー・カード１００は、一つの第１のケーシング１１０と一つの第２のケーシング１２０を含み、両者が一体に結合されて両者を完備した一つのケーシングが形成される。第１のケーシング１１０はマルチプレックス・マイクロ・メモリー・カード１００の第１の端に形成され、且つMMCmicroメモリー・カード標準に合致し、そして第２のケーシング１２０はマルチプレックス・マイクロ・メモリー・カード１００の第２の端に形成され、且つmicroSDメモリー・カード標準に合致する。さらに、マルチプレックス・マイクロ・メモリー・カード１００には、第１のケーシング１１０を利用でき且つ第２のケーシング１２０も利用できることによりデータの読取り及び書込みを行う新規のメモリー・カード標準が形成される。従って、マルチプレックス・マイクロ・メモリー・カード１００は３種類の異なるマイクロ・メモリー・カードの仕様：MMCmicroメモリー・カード標準，microSDメモリー・カード標準，および新規なマルチプレックス・マイクロ・メモリー・カード１００の仕様に互換性がある。
【０００９】
図４と図５を参照すると、図４はマルチプレックス・マイクロ・メモリー・カード１００の正面斜視図である。図に示すように、第１のケーシング１１０は、第２のケーシング１２０よりも厚さが厚く、且つ幅も広い。これは、MMCmicroメモリー・カードとmicroSDメモリー・カードの仕様の寸法の違いにより引き起こされるものである。図５はマルチプレックス・マイクロ・メモリー・カード１００の背面斜視図である。第１のケーシング１１０は１０個１組の第１の接触ガスケット組１１２を含有し、第２のケーシング１２０は８個１組の第２の接触ガスケット組１２２を含有し、これらは、それぞれMMCmicroメモリー・カード標準およびmicroSDメモリー・カード標準に合致（準拠）する。
【００１０】
図６と図７を参照すると、図６はマルチプレックス・マイクロ・メモリー・カード１００の背面図で、第１の接触ガスケット組１１２と第２の接触ガスケット組１２２の各ガスケット番号を示している。第１の接触ガスケット組１１２の番号は１から１０で、第２の接触ガスケット組１２２の番号は１１から１８である。図７はマルチプレックス・マイクロ・メモリー・カードが異なるモードにより動作する際のマルチプレックス・マイクロ・メモリー・カード上における各接触ガスケットの機能を示す表である。マルチプレックス・マイクロ・メモリー・カード１００がMMCmicroメモリー・カード標準またはmicroSDメモリー・カード標準に基づいて動作する際は、合計四つのデータ用の接触ガスケット（DAT0−DAT3）を使用してデータの読取り及び書込みを行う。また、第１の接触ガスケット組１１２と第２の接触ガスケット組１２２の両方を使用する際は、マルチプレックス・マイクロ・メモリー・カード１００はMMC 4.0標準に合致しながら、且つ８個のデータ用の接触ガスケット（DAT0−DAT7）を使用する。従って、第１の接触ガスケット１１２と第２の接触ガスケット１２２を同時に使用してデータを読み取り或いは入力することで、マルチプレックス・マイクロ・メモリー・カード１００は双倍（２倍）のデータ・トランスファー量の能力を提供できる。
【００１１】
図８を参照すると、図８は本考案に基づくマルチプレックス・マイクロ・メモリー・カード・エンベッド・コネクター２００の正面斜視図である。このマルチプレックス・マイクロ・メモリー・カード・エンベッド・コネクター２００は、ケーシング２０５と、ケーシング２０５の内部に形成されたキャビティ２１０とを含む。キャビティ２１０は、第１の端２１２と、第１の端２１２に相対する第２の端２１４とを含む。第１の端２１２は１０個の接触端子を含む第１の接触端子組２２０を含有し、第２の端２１４は８個の接触端子を含む第２の接触端子組２３０を含有する。第１の端２１２はMMCmicroメモリー・カード標準に基づいて形成され、MMCmicroメモリー・カードを受信する（受け入れる）ように用いられ、第１の接触端子組２２０とMMCmicroメモリー・カードとを使用して通信する。同様に第２の端２１４はmicroSDメモリー・カード標準に基づいて形成され、microSDメモリー・カードを受信する（受け入れる）ように用いられ、第２の接触端子組２３０とmicroSDメモリー・カードとを使用して通信する。さらに、マルチプレックス・マイクロ・メモリー・カード・エンベッド・コネクター２００はまた、図３乃至図６の中に示すマルチプレックス・マイクロ・メモリー・カード１００を受信できる（受け入れることができる）。この場合、マルチプレックス・マイクロ・メモリー・カード１００は第１の接触端子組２２０と第２の接触端子組２３０の両者を利用してマルチプレックス・マイクロ・メモリー・カード・エンベッド・コネクター２００と通信する。
【００１２】
従って、マルチプレックス・マイクロ・メモリー・カード・エンベッド・コネクター２００は、３種類の異なる仕様を具するマイクロ・メモリー・カード：MMCmicroメモリー・カード標準，microSDメモリー・カード標準、およびマルチプレックス・マイクロ・メモリー・カード１００の仕様を読み取ることが出来る。例えば図６と図７に示すように、マルチプレックス・マイクロ・メモリー・カード・エンベッド・コネクター２００は、マルチプレックス・マイクロ・メモリー・カード１００を読み取る際には、マルチプレックス・マイクロ・メモリー・カード・エンベッド・コネクター２００の８個の接触端子を使用してマルチプレックス・マイクロ・メモリー・カード１００からデータを読み取り、或いはデータをマルチプレックス・マイクロ・メモリー・カード１００に記録する。一方で、マルチプレックス・マイクロ・メモリー・カード・エンベッド・コネクター２００の４個の接触端子のみを使用してMMCmicroメモリー・カード又はmicroSDメモリー・カードからデータを読み取り、或いはデータをMMCmicroメモリー・カード又はmicroSDメモリー・カードに記録する。
【００１３】
図９乃至図１４を参照すると、図９及び図１０は、それぞれマルチプレックス・マイクロ・メモリー・カード・エンベッド・コネクター２００の正面図と背面図である。図１１は図９に示すマルチプレックス・マイクロ・メモリー・カード・エンベッド・コネクター２００の上エッジ図（図９の上側面図）で、且つ図１２は図９に示すマルチプレックス・マイクロ・メモリー・カード・エンベッド・コネクター２００の下エッジ図（図９の下側面図）である。図１３及び図１４は、それぞれ図９に示すマルチプレックス・マイクロ・メモリー・カード・エンベッド・コネクター２００の左側面図と右側面図である。
【００１４】
マルチプレックス・マイクロ・メモリー・カード１００は、マルチプレックス・マイクロ・メモリー・カード・エンベッド・コネクター２００の上部からマルチプレックス・マイクロ・メモリー・カード・エンベッド・コネクター２００のキャビティ２１０の内に挿し込むのが好ましいが、側面から挿し込むことが出来るようにしてもよい（図示せず）。マルチプレックス・マイクロ・メモリー・カード１００は、あるカバー（cover、図示せず）を利用してマルチプレックス・マイクロ・メモリー・カード・エンベッド・コネクター２００のキャビティ２１０の内に設置されて固定され、且つ当該カバーが錠閂機構（図示せず）を形成するように設置することにより、マルチプレックス・マイクロ・メモリー・カード・エンベッド・コネクター２００に閂を掛ける。或いは類似の方法としては、ユーザー識別モジュール（ＳＩＭ）カードを携帯電話の中に固定するように用いられるスライド・カバーを具有することもできる。前記のカバーは厚さが均一でないマルチプレックス・マイクロ・メモリー・カード１００を収納できるように構成される。
【００１５】
上記のように、本考案のマルチプレックス・マイクロ・メモリー・カード・エンベッド・コネクター２００は、MMCmicroメモリー・カード標準に準拠（互換）することができ、更にmicroSDメモリー・カード標準に準拠（互換）することもでき、さらにマルチプレックス・マイクロ・メモリー・カード・エンベッド・コネクター２００は、マルチプレックス・マイクロ・メモリー・カード１００を受信するように用いられることも出来る。従って、マルチプレックス・マイクロ・メモリー・カード・エンベッド・コネクター２００は、３種類の異なるタイプのメモリー・カードを受信でき、非常に大きい汎用性を具する。
【００１６】
以上の叙述は、ただ本考案のより好ましい実行可能な実施例のみであり、これにより本考案の登録請求の範囲を限定するわけではなく、従って、いかなる当該技術をよく分かる者が、本考案の領域内において実施した変化または潤色は、何れも本考案の登録請求の範囲に属すべきである。
【図面の簡単な説明】
【００１７】
【図１】従来技術のMMCmicroTMメモリー・カードの正面図である。
【図２】従来技術のmicroSDTMメモリー・カードの正面図である。
【図３】本考案のマルチプレックス・マイクロ・メモリー・カードの正面図である。
【００１８】
【図４】本考案のマルチプレックス・マイクロ・メモリー・カードの正面斜視図である。
【図５】本考案のマルチプレックス・マイクロ・メモリー・カードの背面斜視図である。
【図６】本考案のマルチプレックス・マイクロ・メモリー・カードが第１の接触ガスケット組と第２の接触ガスケット組のガスケット番号を表示する背面図である。
【図７】本考案のマルチプレックス・マイクロ・メモリー・カードが異なるモードにより動作する時にマルチプレックス・マイクロ・メモリー・カード上における各接触ガスケットの機能を示す表である。
【図８】本考案のマルチプレックス・マイクロ・メモリー・カード・エンベッド・コネクターの正面斜視図である。
【図９】図８のマルチプレックス・マイクロ・メモリー・カード・エンベッド・コネクターの正面図である。
【図１０】図８のマルチプレックス・マイクロ・メモリー・カード・エンベッド・コネクターの背面図である。
【図１１】図９に示すマルチプレックス・マイクロ・メモリー・カード・エンベッド・コネクターの上エッジ図である。
【図１２】図９に示すマルチプレックス・マイクロ・メモリー・カード・エンベッド・コネクターの下エッジ図である。
【図１３】図９に示すマルチプレックス・マイクロ・メモリー・カード・エンベッド・コネクターの左側面図である。
【図１４】図９に示すマルチプレックス・マイクロ・メモリー・カード・エンベッド・コネクターの右側面図である。
【符号の説明】
【００１９】
１０  MMCmicroＴＭメモリー・カード
２０  microSDTMメモリー・カード
１００  マルチプレックス・マイクロ・メモリー・カード
１１０  第１のケーシング
１１２  第１の接触ガスケット組
１２０  第２のケーシング
１２２  第２の接触ガスケット組
２００  マルチプレックス・マイクロ・メモリー・カード・エンベッド・コネクター
２０５  ケーシング
２１０  キャビティ
２１２  第１の端  
２１４  第２の端
２２０  第１の接触端子組
２３０  第２の接触端子組
【図１】
0003129616.tif 000003
【図２】
0003129616.tif 000004
【図３】
0003129616.tif 000005
【図４】
0003129616.tif 000006
【図５】
0003129616.tif 000007
【図６】
0003129616.tif 000008
【図７】
0003129616.tif 000009
【図８】
0003129616.tif 000010
【図９】
0003129616.tif 000011
【図１０】
0003129616.tif 000012
【図１１】
0003129616.tif 000013
【図１２】
0003129616.tif 000014
【図１３】
0003129616.tif 000015
【図１４】
0003129616.tif 000016